(57)【要約】【課題】錠剤を所定数量ずつ取り出すことが可能な錠剤容器を提供する。【解決手段】本開示の錠剤容器１００は、口部１１と、口部１１の下端に連なり錠剤の収容空間Ｓを形成する胴部１７と、胴部１７の下端を閉塞する底部１９とを備える容器本体１０と、口部１１に装着されるキャップ部材２０とを備え、キャップ部材２０の頂壁２３には、上方に向けて立設されるか又は上方に方向付け可能なノズル筒２５が設けられ、ノズル筒２５の先端部には、取り出す錠剤の個数に対応する大きさを有する排出口２５ｃが略水平方向に向けて開口することを特徴とする。【選択図】図１
2020055556.tif 000002
【特許請求の範囲】
【請求項１】
口部と、該口部の下端に連なり錠剤の収容空間を形成する胴部と、該胴部の下端を閉塞する底部とを備える容器本体と、
前記口部に装着されるキャップ部材と
を備え、
前記キャップ部材の頂壁には、上方に向けて立設されるか又は上方に方向付け可能なノズル筒が設けられ、該ノズル筒の先端部には、取り出す錠剤の個数に対応する大きさを有する排出口が略水平方向に向けて開口することを特徴とする錠剤容器。
【請求項２】
前記排出口に嵌合し、該排出口を閉塞する排出蓋を有する、請求項１に記載の錠剤容器。
【請求項３】
前記ノズル筒は、前記先端部に向けて縮径する縮径部を有する、請求項１又は２に記載の錠剤容器。
【請求項４】
前記ノズル筒は、錠剤を前記先端部に向けて排出口側へと導く案内面を有する、請求項１乃至３のいずれか一項に記載の錠剤容器。
【請求項５】
前記ノズル筒は、上方に方向付けされ錠剤を排出可能な排出位置と、略水平方向に方向付けされ前記キャップ部材内に収容される収容位置との間で回動可能に設けられている、請求項１乃至４のいずれか一項に記載の錠剤容器。
【請求項６】
前記収容位置において、前記キャップ部材及び前記ノズル筒を上方から覆う蓋体を更に有し、該蓋体は前記キャップ部材に対して回動することで開閉可能であり、
前記蓋体を閉塞状態から回動して開放させるとき、前記蓋体の内面が前記ノズル筒の先端部に係合して、前記ノズル筒を前記排出位置まで回動させる、請求項５に記載の錠剤容器。
【請求項７】
前記ノズル筒は、上方に方向付けされ錠剤を排出可能な排出位置と、前記ノズル筒における前記排出口側の壁部を折り畳むことで略水平方向に方向付けされる収容位置との間で移動可能に設けられている、請求項１乃至４のいずれか一項に記載の錠剤容器。
【請求項８】
前記ノズル筒の下方には、正面視で下方に凸となるＵ字形状を有する排出制御部材が設けられている、請求項１乃至７のいずれか一項に記載の錠剤容器。
【請求項９】
前記ノズル筒の内部空間は、中心軸線から径方向外側に偏心した位置に形成されている、請求項１乃至８のいずれか一項に記載の錠剤容器。
【発明の詳細な説明】
【技術分野】
【０００１】
本開示は、錠剤容器に関する。
【背景技術】
【０００２】
薬剤等の錠剤を収容する錠剤容器は、キャップを開けて内容物の錠剤を振り出すタイプのものが多く用いられている。例えば、特許文献１には、Ｌ字型のキャップを片手で容易にスライド操作可能とすることで操作性を向上させた錠剤容器が開示されている。
【先行技術文献】
【特許文献】
【０００３】
【特許文献１】特開２００４−  ５１２０７号公報
【発明の概要】
【発明が解決しようとする課題】
【０００４】
しかし、上記特許文献１の錠剤容器では、内容物の錠剤が多量に出過ぎてしまったり、取り出し口付近で錠剤が詰まってしまうことがあり、これらの点において改善の余地があった。
【０００５】
本開示は、このような問題点を解決することを課題とするものであり、その目的は、錠剤を所定数量ずつ取り出すことが可能な錠剤容器を提供することにある。
【課題を解決するための手段】
【０００６】
本開示の錠剤容器は、
口部と、該口部の下端に連なり錠剤の収容空間を形成する胴部と、該胴部の下端を閉塞する底部とを備える容器本体と、
前記口部に装着されるキャップ部材と
を備え、
前記キャップ部材の頂壁には、上方に向けて立設されるか又は上方に方向付け可能なノズル筒が設けられ、該ノズル筒の先端部には、取り出す錠剤の個数に対応する大きさを有する排出口が略水平方向に向けて開口することを特徴とする。
【０００７】
本開示の錠剤容器は、上記構成において、前記排出口に嵌合し、該排出口を閉塞する排出蓋を有することが好ましい。
【０００８】
本開示の錠剤容器は、上記構成において、前記ノズル筒は、前記先端部に向けて縮径する縮径部を有することが好ましい。
【０００９】
本開示の錠剤容器は、上記構成において、前記ノズル筒は、錠剤を前記先端部に向けて排出口側へと導く案内面を有することが好ましい。
【００１０】
本開示の錠剤容器は、上記構成において、前記ノズル筒は、上方に方向付けされ錠剤を排出可能な排出位置と、略水平方向に方向付けされ前記キャップ部材内に収容される収容位置との間で回動可能に設けられていることが好ましい。
【００１１】
本開示の錠剤容器は、上記構成において、前記収容位置において、前記キャップ部材及び前記ノズル筒を上方から覆う蓋体を更に有し、該蓋体は前記キャップ部材に対して回動することで開閉可能であり、前記蓋体を閉塞状態から回動して開放させるとき、前記蓋体の内面が前記ノズル筒の先端部に係合して、前記ノズル筒を前記排出位置まで回動させることが好ましい。
【００１２】
本開示の錠剤容器は、上記構成において、前記ノズル筒は、上方に方向付けされ錠剤を排出可能な排出位置と、前記ノズル筒における前記排出口側の壁部を折り畳むことで略水平方向に方向付けされる収容位置との間で移動可能に設けられていることが好ましい。
【００１３】
本開示の錠剤容器は、上記構成において、前記ノズル筒の下方には、正面視で下方に凸となるＵ字形状を有する排出制御部材が設けられていることが好ましい。
【００１４】
本開示の錠剤容器は、上記構成において、前記ノズル筒の内部空間は、中心軸線から径方向外側に偏心した位置に形成されていることが好ましい。
【発明の効果】
【００１５】
本開示によれば、錠剤を所定数量ずつ取り出すことが可能な錠剤容器を提供することができる。
【図面の簡単な説明】
【００１６】
【図１】本開示の第１実施形態に係る錠剤容器（収容状態）の正面部分断面図である。
【図２】本開示の第１実施形態に係る錠剤容器（収容状態）の平面図である。
【図３】図１の状態において、排出口から排出蓋を取り外した状態を示す正面部分断面図である。
【図４】図３の状態から容器本体を傾倒させて錠剤を取り出している状態（排出状態）を示す図である。
【図５】本開示の第２実施形態に係る錠剤容器（収容状態）の正面部分断面図である。
【図６】本開示の第２実施形態に係る錠剤容器（収容状態）のキャップ部材の平面図、及び底面図である。
【図７】本開示の第２実施形態に係る錠剤容器において、蓋体を開放することでノズル筒を排出位置まで移動させた状態を示す図である。
【図８】図７の状態から容器本体を傾倒させて錠剤を取り出している状態（排出状態）を示す図である。
【図９】本開示の第３実施形態に係る錠剤容器（収容状態）の正面部分断面図である。
【図１０】本開示の第３実施形態に係る錠剤容器（収容状態）の平面図である。
【図１１】本開示の第３実施形態に係る錠剤容器において、蓋体を開放してノズル筒を上方に方向付けした状態を示す図である。
【図１２】図１１の状態での平面図である。
【図１３】図１１の状態から容器本体を傾倒させて錠剤を取り出している状態（排出状態）を示す図である。
【発明を実施するための形態】
【００１７】
以下、図面を参照しつつ、本開示の第１実施形態に係る錠剤容器１００について詳細に例示説明する。
【００１８】
なお、本明細書及び特許請求の範囲においては、上下方向は、図１に示すように錠剤容器１００を正立姿勢とした状態における上方、下方を意味するものとする。また、径方向内側とは、図１における錠剤容器１００の中心軸線Ｏを通り中心軸線Ｏに垂直な直線に沿って内側に向かう方向を意味し、径方向外側とは、中心軸線Ｏを通り中心軸線Ｏに垂直な直線に沿って外側に向かう方向を意味するものとする。
【００１９】
図１に示す本実施形態の錠剤容器１００は、内容物である錠剤を収容する容器本体１０
と、容器本体１０の口部１１に螺着されるキャップ部材２０とを備えている。
【００２０】
容器本体１０は、キャップ部材２０を装着する略円筒状の口部１１と、口部１１の下端部に肩部１５を介して連なり、内容物の収容空間Ｓを形成する胴部１７と、胴部１７の下端を閉塞する底部１９とを有している。容器本体１０は、例えば、ポリエチレン（ＰＥ）やポリプロピレン（ＰＰ）樹脂製のパリソンを押出ブロー成形することによって形成することができる。
【００２１】
口部１１は略円筒状となっており、収容空間Ｓに収容した内容物の吐出口を構成している。口部１１の外周面には口部１１を閉塞するキャップ部材２０をねじ結合によって装着するための雄ねじ部１１ａが一体に設けられている。
【００２２】
なお、口部１１は、キャップ部材２０をねじ結合に替えて打栓により装着するための環状凸部を設けた構成とすることもできる。
【００２３】
胴部１７は、口部１１の下端部に肩部１５を介して一体に連なり、下方に向けて略同一径を有する円筒形状を有している。また、容器本体１０の口部１１と肩部１５との間の部分には、ネックリング１３が一体に設けられている。ネックリング１３は口部１１に対して径方向外側に向けて突出すると共に中心軸線Ｏを中心として全周に亘って延びる略板状となっている。
【００２４】
キャップ部材２０は、容器本体１０の口部１１を径方向外側から覆う外周壁２１と、外周壁２１の上端部に連なる頂壁２３と、頂壁２３から上方に向けて立設され内容物である錠剤を排出口２５ｃへと導くノズル筒２５と、排出口２５ｃを気密に閉塞する排出蓋２９とを有している。
【００２５】
外周壁２１は、口部１１を外側から覆う略円筒形状を有しており、内周面には、口部１１の雄ねじ部１１ａにねじ係合可能な雌ねじ部２１ａを備えている。外周壁２１の外周面には、利用者が把持してキャップ部材２０を着脱し易いように、適宜凹凸面が設けられていてもよい。
【００２６】
頂壁２３と、口部１１の上端部との間には、シール板２８が挟み込まれている。シール板２８により、口部１１と外周壁２１との隙間は、気密にシールされている。
【００２７】
ノズル筒２５は、キャップ部材２０の頂壁２３から上方に向かって延びる筒状部材である。ノズル筒２５は、キャップ部材２０の一部として外周壁２１、頂壁２３等と一体に設けられている。
【００２８】
ノズル筒２５の内部空間Ｎは、図１に示すように、頂壁２３において中心軸線Ｏ上から径方向外側に偏心した位置に形成されたキャップ開口２３ａを介して容器本体１０の収容空間Ｓと連通している。そして、収容空間Ｓ内の内容物は、キャップ開口２３ａを通過し、更に縮径部２５ａを通ってノズル筒２５の内部空間Ｎに供給される。このように、収容空間Ｓからの内容物が徐々に縮径する縮径部２５ａを通ってノズル筒２５に供給されることで、内容物である錠剤が途中で引っ掛かって詰まりが生じることがない。なお、図１の例では、ノズル筒２５もまた、中心軸線Ｏ上から径方向外側に偏心した位置に形成されている。
【００２９】
本実施形態において、縮径部２５ａ通過後のノズル筒２５の内部空間Ｎは、上下方向に錠剤１個のみが通過できる断面形状を有している。そして、ノズル筒２５の側壁には、錠剤１個の大きさに対応した大きさの開口を有する排出口２５ｃが設けられている（図３参照）。図３の例では、排出口２５ｃは、ノズル筒２５における中心軸線Ｏ側の側壁に設けられている。内部空間Ｎには、頂壁２３からノズル筒２５の先端部（上端部）に向けて錠剤を排出口２５ｃ側へと導く案内面２５ｂを備えている。本実施形態において、案内面２５ｂは、内部空間Ｎの先端部に設けられたＲ面である。
【００３０】
排出口２５ｃは、図１及び図２に示すように、ヒンジ部２７を介してノズル筒２５に連結された排出蓋２９によって閉塞され、内容物である錠剤が収容空間Ｓから外部に漏れ出さないようにしている。
【００３１】
排出蓋２９は、図３に示すように、排出口２５ｃに嵌合する嵌合部２９ａと、利用者が排出蓋２９の着脱を行うための摘み部２９ｂを備えている。
【００３２】
上記のような構成を有する錠剤容器１００を利用するに際しては、利用者はまず、図１の状態（収容状態）から摘み部２９ｂを摘んで排出蓋２９を開放する（図３参照）。次に利用者は、容器本体１０の胴部１７を把持しながら錠剤容器１００を傾倒させる（図４参照）。これによって、収容空間Ｓ内の内容物である錠剤は、キャップ開口２３ａから縮径部２５ａを通って引っ掛かることなくノズル筒２５の内部空間Ｎ内に供給される。
【００３３】
ノズル筒２５の内部空間Ｎは、内容物である錠剤１個のみが先端部に向かって通り抜けられる程度の断面形状を有している。これによって、内部空間Ｎ内に導入された複数の錠剤が同時に内部空間Ｎを通り抜けようとして内部空間Ｎ内で詰まって排出口２５ｃから取り出せないなどの不具合を回避することができる。
【００３４】
ノズル筒２５の内部空間Ｎを通って先端部まで通り抜けた錠剤は、案内面２５ｂによって排出口２５ｃ側へと案内される。これによって、利用者は、錠剤が排出口２５ｃ近傍の取り出し可能位置にあることを、排出口２５ｃを通して直接視認することができる。利用者は、排出口２５ｃを通して錠剤が取り出し可能位置にあることを確認すると、容器本体１０を中心軸線Ｏ周りに回転させるなどして排出口２５ｃが下方に方向付けられるようにする。これによって、取り出し可能位置にある錠剤を排出口２５ｃを通じて外部に取り出すことができる。
【００３５】
なお、本実施形態では、利用者は排出口２５ｃを視認窓として錠剤が取り出し可能位置にあるか否かを確認するように構成したが、この態様には限定されない。例えば、ノズル筒２５の一部を透明部材又は半透明部材で形成することによって排出口２５ｃ以外の視認窓を設け、利用者が、当該視認窓を通して錠剤が取り出し可能位置にあるか否かを確認するように構成してもよい。また、キャップ部材２０全体を透明部材又は半透明部材として視認窓を形成してもよい。また、ノズル筒２５全体を透明部材又は半透明部材として視認窓を形成してもよい。更に、排出蓋２９を透明部材又は半透明部材として視認窓を形成してもよい。
【００３６】
以上述べたように、本実施形態では、口部１１と、口部１１の下端に連なり錠剤の収容空間Ｓを形成する胴部１７と、胴部１７の下端を閉塞する底部１９とを備える容器本体１０と、口部１１に装着されるキャップ部材２０とを備え、キャップ部材２０の頂壁２３には、上方に向けて立設されるか又は上方に方向付け可能なノズル筒２５が設けられ、ノズル筒２５の先端部には、取り出す錠剤の個数に対応する大きさを有する排出口２５ｃが略水平方向に向けて開口するように構成した。このような構成の採用によって、利用者が、内容物がノズル筒２５の先端部に到達したことを、排出口２５ｃを通して直接視認することができる。従って、利用者は、内容物がノズル筒２５の先端部に到達したことを確認した上で排出口２５ｃを下方に方向付けることによって所定数量の内容物を容易に取り出すことができる。
【００３７】
特に、ノズル筒２５をキャップ部材２０と一体に設けた場合には、部品点数を削減し、錠剤容器１００の製造コストを低減することができる。
【００３８】
また、本実施形態では、排出口２５ｃに嵌合し、排出口２５ｃを気密に閉塞する排出蓋２９を有するように構成した。このような構成の採用によって、保管時の収容空間Ｓ内の気密性を確保することができるので、内容物の劣化を抑制することができる。
【００３９】
また、本実施形態では、ノズル筒２５は、先端部に向けて縮径する縮径部２５ａを有するように構成した。このような構成の採用によって、収容空間Ｓからの内容物が徐々に縮径する縮径部２５ａを通ってノズル筒２５に供給されるので、内容物である錠剤が容器本体１０の収容空間Ｓからノズル筒２５の内部空間Ｎに移動する途中で部材に引っ掛かるなどして詰まりが生じることがない。
【００４０】
また、本実施形態では、ノズル筒２５は、錠剤を先端部に向けて排出口２５ｃ側へと導く案内面２５ｂを有するように構成した。このような構成の採用によって、ノズル筒２５の内部空間Ｎを通って先端部に達した内容物が、排出口２５ｃ近傍へと導かれるため、利用者が、錠剤が取り出し可能位置にあるか否かを視認し易くすることができる。また、錠剤を排出口２５ｃから取り出し易くすることができる。
【００４１】
また、本実施形態では、ノズル筒２５の内部空間Ｎは、中心軸線Ｏから径方向外側に偏心した位置に形成されるように構成した。このような構成の採用によって、ノズル筒２５における中心軸線Ｏ側の側壁に設けられた排出口２５ｃを中心軸線Ｏに近づけることができるので、利用者が容器本体１０を中心軸線Ｏ周りに回転させて排出口２５ｃを下方に方向付けて内容物を取り出す際に、排出口２５ｃの移動距離を抑制することができる。  
【００４２】
次に、本開示の第２実施形態に係る錠剤容器２００について詳細に例示説明する。なお、第１実施形態と同一の機能を有する部位については、同一の符号を付して説明する。
【００４３】
図５に示す本実施形態の錠剤容器２００は、内容物である錠剤を収容する容器本体１０
と、容器本体１０の口部１１に螺着されるキャップ部材２０とを備えている。
【００４４】
容器本体１０は、キャップ部材２０を装着する略円筒状の口部１１と、口部１１の下端部に肩部１５を介して連なり、内容物の収容空間Ｓを形成する胴部１７と、胴部１７の下端を閉塞する底部１９とを有している。
【００４５】
口部１１は略円筒状となっており、収容空間Ｓに収容した内容物の吐出口を構成している。口部１１の外周面には口部１１を閉塞するキャップ部材２０をねじ結合によって装着するための雄ねじ部１１ａが一体に設けられている。
【００４６】
胴部１７は、口部１１の下端部に肩部１５を介して一体に連なり、下方に向けて略同一径を有する円筒形状を有している。また、容器本体１０の口部１１と肩部１５との間の部分には、ネックリング１３が一体に設けられている。ネックリング１３は口部１１に対して径方向外側に向けて突出すると共に中心軸線Ｏを中心として全周に亘って延びる略板状となっている。
【００４７】
キャップ部材２０は、容器本体１０の口部１１を径方向外側から覆う外周壁２１と、外周壁２１の上端部に連なる頂壁２３とを備えている。
【００４８】
外周壁２１は、口部１１を外側から覆う略円筒形状を有しており、内周面には、口部１１の雄ねじ部１１ａにねじ係合可能な雌ねじ部２１ａを備えている。外周壁２１の外周面には、利用者が把持してキャップ部材２０を着脱し易いように、適宜凹凸面が設けられていてもよい。
【００４９】
頂壁２３における、外周壁２１の径方向内側には、キャップ部材２０と容器本体１０の口部１１との隙間をシールするシール壁２８ａが設けられている。シール壁２８ａは、円筒形状を有しており、このシール壁２８ａが口部１１の内周面に当接することによって、キャップ部材２０と口部１１との隙間は、気密にシールされている。
【００５０】
頂壁２３には、容器本体１０の収容空間Ｓを後述するノズル筒３５と連通するためのキャップ開口２３ａが形成されている。また、頂壁２３には、ノズル筒３５を回動可能に支持するノズル軸孔２４ｂが設けられている（図６（ａ）参照）。
【００５１】
ノズル筒３５は、図５に示す収容位置においては、略水平方向に方向付けされキャップ部材２０内に収容されている。そして、キャップ部材２０及びノズル筒３５を上方から覆う蓋体４０が更に設けられている。
【００５２】
蓋体４０は、ヒンジ部２７を介してキャップ部材２０と連結されており、ヒンジ部２７において回動することで開閉可能である。そして、図５に示す蓋体４０を閉塞状態からヒンジ部２７周りに回動させて開放させると、蓋体４０の内周面に形成された係合突起４２ａがノズル筒３５の先端部に設けられた摘み部３５ｇに係合し、ノズル筒３５を、内容物が排出可能な排出位置へと移動させる（図７参照）。
【００５３】
ノズル筒３５の下方には、正面視で下方に向かって凸となるＵ字形状を有する排出制御部材２４ａが設けられている（図５、図６（ａ），（ｂ）参照）。この排出制御部材２４ａをノズル筒３５の直下に配置することで、収容空間Ｓからノズル筒３５の内部空間Ｎ内に入ろうとする内容物は、一度排出制御部材２４ａに衝突する。従って、収容空間Ｓからノズル筒３５の内部空間Ｎに向かって直接勢いよく内容物が入り込むのを抑制することができる。これによって、複数の内容物が同時に狭い内部空間Ｎを通り抜けようとして内部空間Ｎ内に詰まって排出口３５ｃから内容物を取り出せないなどの不具合を回避することができる。
【００５４】
キャップ部材２０には、図５及び図６（ｂ）に示すように、錠剤容器２００の傾倒状態において内容物をキャップ開口２３ａ側に誘導するための誘導部２６が形成されている。誘導部２６は、図６（ｂ）に示すようにキャップ部材２０の外周部に沿って設けられ、図５に示すように錠剤をキャップ開口２３ａに案内するための傾斜を有している。誘導部２６は、容器本体１０の底部１９よりも口部１１を低くした傾倒状態において、内容物である錠剤をキャップ開口２３ａ側に集めて、ノズル筒３５の内部空間Ｎ内に誘導する。
【００５５】
ノズル筒３５は、キャップ部材２０の頂壁２３から上方に方向付け可能な筒状部材である。ノズル筒３５は、キャップ部材２０側のノズル軸孔２４ｂに嵌合する回動軸３５ｄ周りに回動可能であり、図５に示す略水平方向に延びキャップ部材２０内に収容される収容位置と、図７に示す上方に方向付けされ錠剤を排出可能な排出位置との間で移動可能である。
【００５６】
ノズル筒３５の内部空間Ｎは、図７に示すように、頂壁２３において中心軸線Ｏ上から径方向外側に偏心した位置に形成されたキャップ開口２３ａを介して容器本体１０の収容空間Ｓと連通している。そして、収容空間Ｓ内の内容物である錠剤は、排出制御部材２４ａにおける図７の紙面に垂直方向の脇を通過し、更にキャップ開口２３ａを通ってノズル筒３５の内部空間Ｎに供給される。なお、図７の例では、ノズル筒３５もまた、中心軸線Ｏ上から径方向外側に偏心した位置に形成されている。
【００５７】
本実施形態において、ノズル筒３５の内部空間Ｎは、上下方向に錠剤１個のみが通過できるだけの断面形状を有している。そして、ノズル筒３５の側壁には、錠剤１個の大きさに対応した大きさの開口を有する排出口３５ｃが設けられている（図８参照）。図７、図８の例では、排出口３５ｃは、ノズル筒３５における中心軸線Ｏ側の側壁に設けられている。
【００５８】
排出口３５ｃは、図５に示す収容位置では下向きに方向付けられ、ノズル筒３５全体が上方から蓋体４０によって覆われるように構成されている。このような構成によって、内容物である錠剤が収容空間Ｓから外部に漏れ出さないようにしている。
【００５９】
上記のような構成を有する錠剤容器２００を利用するに際しては、利用者はまず、図５の状態（収容状態）から蓋体４０の摘み部４２ｂを摘んで蓋体４０を開放する。このとき、蓋体４０の内周面に形成された係合突起４２ａがノズル筒３５の先端部に設けられた摘み部３５ｇに係合し、ノズル筒３５を、内容物が排出可能な排出位置へと移動させる（図７参照）。
【００６０】
次に利用者は、容器本体１０の胴部１７を把持しながら錠剤容器２００を傾倒させる（図８参照）。これによって、収容空間Ｓ内の内容物である錠剤は、キャップ開口２３ａを通ってノズル筒３５の内部空間Ｎ内に供給される。
【００６１】
ノズル筒３５の内部空間Ｎは、内容物である錠剤１個のみが先端部に向かって通り抜けられる程度の断面形状を有している。これによって、内部空間Ｎ内に導入された複数の錠剤が同時に内部空間Ｎを通り抜けようとして内部空間Ｎ内で詰まって排出口３５ｃから取り出せないなどの不具合を回避することができる。
【００６２】
ノズル筒３５の内部空間Ｎを通って先端部まで通り抜けた錠剤は、図８に示すように排出口３５ｃを通して視認可能な取り出し可能位置まで移動する。利用者は、錠剤が排出口３５ｃ近傍の取り出し可能位置にあることを、排出口２５ｃを通して直接視認することができる。利用者は、排出口３５ｃを通して錠剤が取り出し可能位置にあることを確認すると、容器本体１０を中心軸線Ｏ周りに回転させるなどして排出口３５ｃが下方に方向付けられるようにする。これによって、取り出し可能位置にある錠剤を排出口３５ｃを通じて外部に取り出すことができる。
【００６３】
なお、本実施形態では、利用者は排出口３５ｃを視認窓として錠剤が取り出し可能位置にあるか否かを確認するように構成したが、この態様には限定されない。例えば、ノズル筒３５の一部を透明部材又は半透明部材で形成することによって排出口３５ｃ以外の視認窓を設け、利用者が、当該視認窓を通して錠剤が取り出し可能位置にあるか否かを確認するように構成してもよい。また、キャップ部材２０全体を透明部材又は半透明部材として視認窓を形成してもよい。また、ノズル筒３５全体を透明部材又は半透明部材として視認窓を形成してもよい。  
【００６４】
以上述べたように、本実施形態では、ノズル筒３５は、上方に方向付けされ錠剤を排出可能な排出位置と、略水平方向に方向付けされキャップ部材２０内に収容される収容位置との間で回動可能に設けられるように構成した。このような構成の採用によって、内容物を使用しない収容位置において、ノズル筒３５をキャップ部材２０内に収容して錠剤容器２００全体の大きさを小さくすることが可能となる他、外部に対する収容空間Ｓの気密を確保することができる。
【００６５】
また、本実施形態では、収容位置において、キャップ部材２０及びノズル筒３５を上方から覆う蓋体４０を更に有し、蓋体４０はキャップ部材２０に対して回動することで開閉可能であり、蓋体４０を閉塞状態から回動して開放させるとき、蓋体４０の内面がノズル筒３５の先端部に係合して、ノズル筒３５を排出位置まで回動させるように構成した。このような構成の採用によって、蓋体４０を回動して開放するという通常行う作業によって、ノズル筒３５を収容状態から排出状態へと同時に移動することができる。従って、収容状態では錠剤容器２００をコンパクトに収納できる一方、利用者が何ら特別な操作を行うことなく、内容物を排出可能な排出状態へと遷移させることができる。
【００６６】
また、本実施形態では、ノズル筒３５の下方には、正面視で下方に凸となるＵ字形状を有する排出制御部材２４ａが設けられるように構成した。このような構成の採用によって、収容空間Ｓからノズル筒３５の内部空間Ｎ内に入ろうとする内容物は、一度排出制御部材２４ａに衝突する。従って、収容空間Ｓからノズル筒３５の内部空間Ｎに向かって直接勢いよく内容物が入り込むのを抑制することができる。これによって、複数の内容物が同時に狭い内部空間Ｎを通り抜けようとして内部空間Ｎ内に詰まって排出口３５ｃから内容物を取り出せないなどの不具合を回避することができる。
【００６７】
次に、本開示の第３実施形態に係る錠剤容器３００について詳細に例示説明する。なお、第１実施形態又は第２実施形態と同一の機能を有する部位については、同一の符号を付して説明する。
【００６８】
図９に示す本実施形態の錠剤容器３００は、内容物である錠剤を収容する容器本体１０
と、容器本体１０の口部１１に螺着されるキャップ部材２０とを備えている。
【００６９】
容器本体１０は、キャップ部材２０を装着する略円筒状の口部１１と、口部１１の下端部に肩部１５を介して連なり、内容物の収容空間Ｓを形成する胴部１７と、胴部１７の下端を閉塞する底部１９とを有している。
【００７０】
口部１１は略円筒状となっており、収容空間Ｓに収容した内容物の吐出口を構成している。口部１１の外周面には口部１１を閉塞するキャップ部材２０をねじ結合によって装着するための雄ねじ部１１ａが一体に設けられている。
【００７１】
なお、口部１１は、キャップ部材２０をねじ結合に替えて打栓により装着するための環状凸部を設けた構成とすることもできる。
【００７２】
胴部１７は、口部１１の下端部に肩部１５を介して一体に連なり、下方に向けて略同一径を有する円筒形状を有している。また、容器本体１０の口部１１と肩部１５との間の部分には、ネックリング１３が一体に設けられている。ネックリング１３は口部１１に対して径方向外側に向けて突出すると共に中心軸線Ｏを中心として全周に亘って延びる略板状となっている。
【００７３】
キャップ部材２０は、容器本体１０の口部１１を径方向外側から覆う外周壁２１と、外周壁２１の上端部に連なる頂壁２３とを有している。
【００７４】
外周壁２１は、口部１１を外側から覆う略円筒形状を有しており、内周面には、口部１１の雄ねじ部１１ａにねじ係合可能な雌ねじ部２１ａを備えている。外周壁２１の外周面には、利用者が把持してキャップ部材２０を着脱し易いように、適宜凹凸面が設けられていてもよい。
【００７５】
頂壁２３における、外周壁２１の径方向内側には、キャップ部材２０と容器本体１０の口部１１との隙間をシールするシール壁２８ａが設けられている。シール壁２８ａは、円筒形状を有しており、このシール壁２８ａが口部１１の内周面に当接することによって、キャップ部材２０と口部１１との隙間は、気密にシールされている。
【００７６】
頂壁２３には、容器本体１０の収容空間Ｓを後述するノズル筒３５と連通するためのキャップ開口２３ａが形成されている。ノズル筒３５は、図９に示す収容位置においては、略水平方向に方向付けされている。また、ノズル筒３５の壁部３５ｅは、ヒンジ部３５ｆにおいて折り畳まれている。
【００７７】
キャップ部材２０のキャップ開口２３ａは、蓋体４０により上方から覆われている（図９及び図１０参照）。後述するように蓋体４０は、ノズル筒３５の一部を構成している。すなわち、図９に示す錠剤容器３００の収容状態から、摘み部４２ｂを摘んで蓋体４０をヒンジ部２７周りに回動すると、図１１に示すように蓋体４０の上壁４１が頂壁２３から起立してノズル筒３５の壁部の一部を構成する。また、図９においてヒンジ部３５ｆにおいて折り畳まれていた壁部３５ｅは、ノズル筒３５の中心軸線Ｏ側の壁部を構成する。このとき、排出口３５ｃと排出蓋２３ｃとの嵌合が外れる。図１１及び図１２に示す内容物の排出位置において、容器本体１０の収容空間Ｓ内の内容物は、キャップ開口２３ａ、内部空間Ｎ、及び排出口３５ｃを経由して外部に排出可能となる。
【００７８】
ノズル筒３５の内部空間Ｎは、図１１に示すように、頂壁２３において中心軸線Ｏ上から径方向外側に偏心した位置に形成されたキャップ開口２３ａを介して容器本体１０の収容空間Ｓと連通している。そして、収容空間Ｓ内の内容物は、キャップ開口２３ａを通過し、更に壁部３５ｅにより構成された縮径部を通ってノズル筒３５の内部空間Ｎに供給される。このように、収容空間Ｓからの内容物が徐々に縮径する縮径部を通ってノズル筒３５に供給されることで、内容物である錠剤が途中で引っ掛かって詰まりが生じることがない。なお、図１１の例では、ノズル筒３５もまた、中心軸線Ｏ上から径方向外側に偏心した位置に形成されている。
【００７９】
本実施形態において、縮径部（壁部３５ｅ）通過後のノズル筒３５の内部空間Ｎは、上下方向に錠剤１個のみが通過できるだけの平面断面形状を有している。そして、ノズル筒３５の側壁には、錠剤１個の大きさに対応した大きさの開口を有する排出口３５ｃが設けられている。図１１の例では、排出口３５ｃは、ノズル筒３５における中心軸線Ｏ側の側壁に設けられている。内部空間Ｎには、頂壁２３からノズル筒３５の先端部（上端部）に向けて錠剤を排出口３５ｃ側へと導く案内面３５ｂが設けられている。本実施形態において、案内面３５ｂは、内部空間Ｎの先端部に設けられたＲ面である。
【００８０】
排出口３５ｃは、図９に示す収容位置においては、頂壁２３上に設けられた排出蓋２３ｃによって閉塞され、内容物である錠剤が収容空間Ｓから外部に漏れ出さないようにしている。
【００８１】
上記のような構成を有する錠剤容器３００を利用するに際しては、利用者はまず、図９の状態（収容状態）から摘み部４２ｂを摘んで蓋体４０をヒンジ部２７周りに回動させて開放する。そして、蓋体４０の上壁４１を、頂壁２３に対して略垂直方向に起立させる（図１１参照）。
【００８２】
上壁４１の起立に伴い、ノズル筒３５が頂壁２３から上方に方向付けされる。図１１に示すように蓋体４０の上壁４１がノズル筒３５の壁部の一部を構成する。また、図９においてヒンジ部３５ｆにおいて折り畳まれていた壁部３５ｅは、ノズル筒３５の中心軸線Ｏ側の壁部を構成する。図１１に示す内容物の排出位置において、容器本体１０の収容空間Ｓ内の内容物は、キャップ開口２３ａ、内部空間Ｎ、及び排出口３５ｃを経由して外部に排出可能となる。
【００８３】
次に利用者は、容器本体１０の胴部１７を把持しながら錠剤容器３００を傾倒させる（図１３参照）。これによって、収容空間Ｓ内の内容物である錠剤は、キャップ開口２３ａから縮径部（壁部３５ｅ）を通って引っ掛かることなくノズル筒３５の内部空間Ｎ内に供給される。
【００８４】
ノズル筒３５の内部空間Ｎは、内容物である錠剤１個のみが先端部に向かって通り抜けられる程度の断面形状を有している。これによって、内部空間Ｎ内に導入された複数の錠剤が同時に内部空間Ｎを通り抜けようとして内部空間Ｎ内で詰まって排出口３５ｃから取り出せないなどの不具合を回避することができる。
【００８５】
ノズル筒３５の内部空間Ｎを通って先端部まで通り抜けた錠剤は、案内面３５ｂによって排出口３５ｃ側へと案内される。これによって、図１３に示すように、利用者は、錠剤が排出口３５ｃ近傍の取り出し可能位置にあることを、排出口３５ｃを通して直接視認することができる。利用者は、排出口３５ｃを通して錠剤が取り出し可能位置にあることを確認すると、容器本体１０を中心軸線Ｏ周りに回転させるなどして排出口３５ｃが下方に方向付けられるようにする。これによって、取り出し可能位置にある錠剤を排出口３５ｃを通じて外部に取り出すことができる。
【００８６】
なお、本実施形態では、利用者は排出口３５ｃを視認窓として錠剤が取り出し可能位置にあるか否かを確認するように構成したが、この態様には限定されない。例えば、ノズル筒３５の一部を透明部材又は半透明部材で形成することによって排出口３５ｃ以外の視認窓を設け、利用者が、当該視認窓を通して錠剤が取り出し可能位置にあるか否かを確認するように構成してもよい。また、キャップ部材２０全体を透明部材又は半透明部材として視認窓を形成してもよい。また、ノズル筒３５全体を透明部材又は半透明部材として視認窓を形成してもよい。
【００８７】
以上述べたように、本実施形態では、ノズル筒３５は、上方に方向付けされ錠剤を排出可能な排出位置と、ノズル筒３５における排出口３５ｃ側の壁部３５ｅを折り畳むことで略水平方向に方向付けされる収容位置との間で移動可能に設けられるように構成した。このような構成の採用によって、内容物を使用しない収容位置において、ノズル筒３５を略水平方向に収容して錠剤容器３００全体の大きさを小さくすることが可能となる。また、ノズル筒３５はキャップ部材２０と一体に設けられているので、部品点数を削減し、錠剤容器３００の製造コストを抑えることができる。
【００８８】
本開示を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【００８９】
例えば、第１〜第３実施形態では、排出口２５ｃ、３５ｃが錠剤１個の大きさに対応する大きさの開口を有するように構成したが、この態様には限定されない。排出口２５ｃ、３５ｃは、錠剤２個以上の大きさに対応する大きさの開口を有するように構成してもよい。また、内部空間Ｎについても錠剤２個以上が通過可能な断面形状、大きさを備えていてもよい。
【００９０】
また、第２実施形態の排出制御部材２４ａは、第１実施形態又は第３実施形態におけるノズル筒２５，３５の下方に設けてもよく、同様の作用効果を奏する。
【００９１】
また、第１実施形態の縮径部２５ａ、第２実施形態の誘導部２６、及び第３実施形態の縮径部（壁部３５ｅ）は、錠剤をノズル筒２５，３５に案内し易いように、Ｒ面、傾斜面、傾斜リブ等の形状を有するように構成してもよい。
【符号の説明】
【００９２】
１０      容器本体
１１      口部
１１ａ    雄ねじ部
１３      ネックリング
１５      肩部
１７      胴部
１９      底部
２０      キャップ部材
２１      外周壁
２１ａ    雌ねじ部
２３      頂壁
２３ａ    キャップ開口
２３ｃ    排出蓋
２４ａ    排出制御部材
２４ｂ    ノズル軸孔
２５      ノズル筒
２５ａ    縮径部
２５ｂ    案内面
２５ｃ    排出口
２６      誘導部
２７      ヒンジ部
２８      シール板
２８ａ    シール壁
２９      排出蓋
２９ａ    嵌合部
２９ｂ    摘み部
３５      ノズル筒
３５ｂ    案内面
３５ｃ    排出口
３５ｄ    回動軸
３５ｅ    壁部（縮径部）
３５ｆ    ヒンジ部
３５ｇ    摘み部
４０      蓋体
４１      上壁
４２ａ    係合突起
４２ｂ    摘み部
１００    錠剤容器
２００    錠剤容器
３００    錠剤容器
Ｎ        内部空間
Ｏ        中心軸線
Ｓ        収容空間
【図１】
2020055556.tif 000003
【図２】
2020055556.tif 000004
【図３】
2020055556.tif 000005
【図４】
2020055556.tif 000006
【図５】
2020055556.tif 000007
【図６】
2020055556.tif 000008
【図７】
2020055556.tif 000009
【図８】
2020055556.tif 000010
【図９】
2020055556.tif 000011
【図１０】
2020055556.tif 000012
【図１１】
2020055556.tif 000013
【図１２】
2020055556.tif 000014
【図１３】
2020055556.tif 000015